(57)【要約】【課題】電装基板の交換を要することなく縦横いずれの向きでも適正に数値情報を表示することができる表示装置を提供する。【解決手段】１桁の数字を７セグメントの発光部９を用いて表示する表示器８を備えた表示装置において、上記表示器８は、２桁の数字を表示させるにあたり、隣接する桁の上位桁の右辺を構成する発光部９と下位桁の左辺を構成する発光部９とを共有させて、発光部９を「田」の字状に配列する。そして、表示器８への数字の表示にあたっては、１０の位の数字と１の位の数字とを交互に表示することでユーザに２桁の数字を認識させる。【選択図】図３
2014048437.tif 000002
【特許請求の範囲】
【請求項１】
１桁の数字を７セグメントの発光部を用いて表示する表示部を備えた表示装置において、
前記表示部は、複数桁の数字を表示させるにあたり、隣接する桁の上位桁の右辺を構成する発光部と下位桁の左辺を構成する発光部とを共有する構成を備えている
ことを特徴とする表示装置。
【請求項２】
前記発光部の発光を制御する制御手段と、前記表示部の表示方向を設定する表示設定手段とを備えてなり、
前記制御部は、前記表示設定手段により設定された表示方向に応じて、前記表示部に表示する数字の向きを変更する制御構成を備えた
ことを特徴とする請求項１に記載の表示装置。
【請求項３】
前記制御部は、前記表示部において複数桁の数字を表示するにあたり、上位桁および下位桁の数字を交互に発光させて複数桁の数字を表示する制御構成を備えていることを特徴とする請求項１または２に記載の表示装置。
【請求項４】
前記制御部は、前記表示部において複数桁の数字を表示するにあたり、上位桁から下位桁にかけての数字を発光部の発光によってスクロール表示させる制御構成を備えていることを特徴とする請求項１または２に記載の表示装置。
【発明の詳細な説明】
【技術分野】
【０００１】
この発明は表示装置に関し、より詳細には、給湯装置のリモコンなどにおいて給湯設定温度などの表示に用いられる表示装置に関する。
【背景技術】
【０００２】
従来、給湯装置のリモコンなどにおいては、給湯設定温度などの数値情報を表示するための表示装置が備えられている。このような表示装置としては、たとえば、文字や図形の表示が可能な液晶ディスプレイを用いることも可能であるが、主として給湯設定温度のような数値情報のみを表示する簡易な構成の表示装置においては、７セグメントＬＥＤ・ディスプレイが好適に採用されている。
【０００３】
図６は、このような７セグメントＬＥＤ・ディスプレイを用いた表示装置を示しており、この図６に示すように、この種の表示装置においては、１０の位および１の位のそれぞれに７セグメントの発光部ａ（ＬＥＤを光源とする発光部）を用いて、これら発光部ａを適宜発光させることによって給湯設定温度などの数値情報を表示するように構成されている（たとえば、特許文献１の図２参照）。なお、図６では、数値情報として「４５」を発光表示させた場合を示している。
【先行技術文献】
【特許文献】
【０００４】
【特許文献１】特開平１１−５１４７４号公報
【発明の概要】
【発明が解決しようとする課題】
【０００５】
しかしながら、このように各桁の数字をそれぞれ７セグメントＬＥＤ・ディスプレイで表示する構成には以下のような問題があった。
【０００６】
すなわち、このような構成の表示装置においては、各桁の数字を表示する７セグメントＬＥＤ・ディスプレイはリモコンなどの筐体内に収容される電装基板にはんだ付けによって固定されることから、電装基板への７セグメントＬＥＤ・ディスプレイの実装にあたっては、電装基板をリモコンなどの筐体内に収容した状態で７セグメントＬＥＤ・ディスプレイに表示される数字が正しい向きとなるように（つまり、リモコンなどの取付方向に対応した向きで数字が表示されるように）、７セグメントＬＥＤ・ディスプレイを電装基板に装着しなければならない。
【０００７】
その一方で、この種の表示装置が備えられるリモコンなどにおいては、当該リモコンなどの取付位置等との関係から、縦横いずれの向きにも取付け可能な構造が望まれている。たとえば、給湯装置の台所リモコン（主として台所の壁面に設置されるリモコン）においては、ユーザの利き手やリモコンの設置場所の状況（たとえば、冷蔵庫などリモコン操作の邪魔になるものの有無）等に応じて、台所リモコンの取付方向をユーザが任意に選択できるようにしておくことが望まれている。すなわち、たとえば、図７（ａ）〜（ｄ）に示すように、ユーザの希望に応じてその取付方向を９０°単位で変更可能なリモコンｂの提供が望まれている。
【０００８】
しかし、従来のように７セグメントＬＥＤ・ディスプレイを電装基板に固定する構成では、リモコンの取付方向を任意に変更しようとしても、表示装置に表示される数字の向きが横向きになったり上下が逆転してしまうことから、取付方向の変更に対応することができないかった。なお、この点については、リモコンの取付方向ごとに異なる向きに７セグメントＬＥＤ・ディスプレイを装着した電装基板を用意しておくことも考えられるが、それでは電装基板の種類が増えて製品コストの上昇を招くとともに、施工現場で電装基板の交換が必要となるため施工作業が煩雑となるといった問題がある。また、このほか各桁ごとに７セグメントＬＥＤを用いるのは経済性の点で改善の余地があった。
【０００９】
本発明は、このような問題点に鑑みてなされたものであって、その目的とするところは、電装基板の交換を要することなく縦横いずれの向きでも適正に数値情報を表示することができる表示装置を提供することにある。そして、このような表示装置を提供することにより、取付方向を任意に変更可能なリモコンを提供可能にする。
【課題を解決するための手段】
【００１０】
上記目的を達成するため、本発明の請求項１に記載の表示装置は、１桁の数字を７セグメントの発光部を用いて表示する表示部を備えた表示装置において、上記表示部は、複数桁の数字を表示させるにあたり、隣接する桁の上位桁の右辺を構成する発光部と下位桁の左辺を構成する発光部とを共有する構成を備えていることを特徴とする。なお、ここで「１桁の数字を７セグメントの発光部を用いて表示する表示部」とは、７セグメントの発光部を用いて少なくとも数字が表示可能な表示部であれば数字以外の文字（たとえば、欧文字など）の表示が行えるものも含まれる（以下、同様である）。また、表示部に表示させる数字についても数字だけを表示させる場合はもちろんのこと、数字と欧文字などを組み合せて表示させるものも含まれる。
【００１１】
すなわち、この請求項１に係る表示装置では、複数桁の数字を表示させるにあたり、隣接する桁の上位桁の右辺を構成する発光部と下位桁の左辺を構成する発光部とを共有するようにしているので、各桁の表示に７セグメント・ディスプレイを用いる場合に比して発光部の数を少なくすることができる。たとえば、２桁の数字を表示させる場合、本発明では発光部が「田」の字状に配置される。そのため、各桁ごとに７セグメント・ディスプレイを配置する場合に１４個必要とされていた発光部を１２個で済ますことができ、経済性に優れた表示装置を提供することができる。
【００１２】
また、上位桁の右辺を構成する発光部と下位桁の左辺を構成する発光部とを共有することによって発光部を「田」の字状に配置することにより、数字を左右に９０°回転させて横向きに表示させたり、１８０°回転させて天地逆に表示させるなどの様々な表示を行うことができるようになる。
【００１３】
本発明の請求項２に記載の表示装置は、請求項１に記載の給湯装置において、上記発光部の発光を制御する制御手段と、上記表示部の表示方向を設定する表示設定手段とを備えてなり、上記制御部は、上記表示設定手段により設定された表示方向に応じて、上記表示部に表示する数字の向きを変更する制御構成を備えたことを特徴とする。
【００１４】
すなわち、この請求項２に係る表示装置では、発光部の発光を制御する制御手段が、表示部の表示方向を設定する表示設定手段の設定に応じて、表示部に表示される数字の向きを変更するようになっているので、たとえば、表示設定手段において表示方向を左（または右）に９０°回転させる設定が行われた場合には、制御部はこの設定に応じて数字を左（または右）に９０°回転させて横向きに表示する。また、表示設定手段において表示方向を１８０°回転させる設定が行われた場合には、制御部はこの設定に応じて数字を１８０°回転させて天地逆に表示する。そのため、この請求項２に係る表示装置では、当該表示装置が搭載された機器が横向きや天地逆に配置されても、表示設定手段の設定変更によって機器の配置された向きに応じた表示を行うことができる。
【００１５】
本発明の請求項３に記載の表示装置は、請求項１または２に記載の表示装置において、上記制御部は、上記表示部において複数桁の数字を表示するにあたり、上位桁および下位桁の数字を交互に発光させて複数桁の数字を表示する制御構成を備えていることを特徴とする。
【００１６】
すなわち、この請求項３に係る表示装置では、たとえば、２桁の数字を表示させる場合、１０の位の数字を表示する７セグメントの発光部のうちの右辺の２セグメントと１の位の数字を表示する７セグメントの発光部のうちの左辺の２セグメントとが共用されるので、１０の位と１の位の数字を同時に発光させると２つの数字の一部が重なって表示されて判読困難になるおそれがある。そのため、この請求項３に係る表示装置では、上位桁および下位桁の数字を交互に発光させることによって、１０の位の数字と１の位の数字とが重なって表示されるのを回避し、両桁の数字が判読できるようにしている。
【００１７】
本発明の請求項４に記載の表示装置は、請求項１または２に記載の表示装置において、上記制御部は、上記表示部において複数桁の数字を表示するにあたり、上位桁から下位桁にかけての数字を発光部の発光によってスクロール表示させる制御構成を備えていることを特徴とする。
【００１８】
すなわち、この請求項４に係る表示装置では、複数桁の数字を表示させるにあたり、上位桁の数字から下位桁の数字を順次左右にスライドさせながらスクロール表示するので、桁数の多い数字であっても表示することができる。
【発明の効果】
【００１９】
本発明によれば、１桁の数字を７セグメントの発光部を用いて表示する表示部を備えた表示装置において、上記表示部は、複数桁の数字を表示させるにあたり、隣接する桁の上位桁の右辺を構成する発光部と下位桁の左辺を構成する発光部とを共有する構成を備えていることから、各桁の表示に７セグメント・ディスプレイを用いる場合に比して、発光部の数を少なくし、経済性に優れた表示装置を提供することができる。
【００２０】
また、上位桁の右辺を構成する発光部と下位桁の左辺を構成する発光部とを共有することにより、数字を左右に９０°回転させて横向きに表示させたり、１８０°回転させて上下を反転させて表示させることができる。そのため、取付方向を任意に変更可能なリモコンなどを電装基板の交換を伴わずに安価に提供することができる。
【図面の簡単な説明】
【００２１】
【図１】本発明に係る表示装置を備えたリモコンの概略構成を示すブロック図である。
【図２】本発明に係る表示装置の表示部の一例を示す説明図であり、図２（ａ）は同表示部における発光部の配置例を示しており、また、図２（ｂ）は同表示部で２桁の数字を同時に発光表示させた場合の一例を示している。
【図３】同表示装置において２桁の数値情報を表示する方法の一例を示す説明図であり、図３（ａ）は同表示装置を用いて数値情報の１０の位を、また、図３（ｂ）は同表示装置を用いて数値情報の１の位をそれぞれ表示した状態を示している。
【図４】同表示装置において２桁の数値情報を表示する方法の他の一例を示す説明図であり、図４（ａ）は同表示装置を用いて数値情報の１０の位を、また、図４（ｂ）は同表示装置を用いて数値情報の１の位をそれぞれ表示した状態を示している。
【図５】同表示装置において２桁の数値情報を表示する方法の他の一例を示す説明図である。
【図６】従来の表示装置（７セグメントＬＥＤ・ディスプレイ）の一例を示す説明図である。
【図７】給湯装置の台所リモコンの取付方向の変更例を示す説明図である。
【発明を実施するための形態】
【００２２】
以下、本発明の実施形態を図面に基づいて詳細に説明する。
実施形態１
図１は本発明に係る表示装置を備えたリモコンの概略構成を示している。この図１に示すリモコン１は、図示しない給湯装置を遠隔操作するための操作装置であって、給湯設定温度などの数値情報を表示するための表示手段として本発明に係る表示装置を備えている。
【００２３】
具体的には、このリモコン１は、図１に示すように、操作部２と、制御部３と、通信部４と、表示部５と、表示方向設定部（表示設定手段）６とを主要部として構成されている。
【００２４】
操作部２は、給湯装置に対する遠隔操作やリモコン１に対する各種設定操作などを入力するための入力手段であって、図示しない複数の操作スイッチで構成されており、これら操作スイッチに対する操作が上記制御部３に入力されるようになっている。なお、この操作部２としてリモコン１に備えられる操作スイッチとしては、たとえば、図７に示すように、給湯装置を給湯待機状態（所定流量以上の通水検知を条件に給湯動作が開始され得る状態）にするための「運転スイッチ」や、給湯装置の給湯設定温度を設定・変更する「温度設定スイッチ」（図７で三角形の図形を付したスイッチ）などが備えられている。
【００２５】
制御部３は、リモコン１の各部を制御するための制御手段であって、制御中枢として図示しないマイコンを備えており、このマイコンに備えられた制御プログラムに基づいてリモコン１の制御を行うようになっている。具体的には、この制御部３は、たとえば、給湯装置の遠隔操作に関連して、上記操作部２での入力操作に応じて給湯装置に対する制御信号（給湯装置を遠隔操作するための制御信号）を生成し、上記通信部４を介して当該制御信号を給湯装置の制御部に対して送信するとともに、給湯装置の作動中などに該給湯装置の制御部から送信される制御信号（給湯装置の動作状況を示す制御信号）を通信部４を介して受信し、当該受信した制御信号を解析して表示部５に表示させるなどの処理を行うように構成されている。
【００２６】
そして、本実施形態では、制御部３は、上記給湯装置の遠隔操作に関連して、上記操作部２において給湯設定温度が設定・変更された場合などに、給湯設定温度を表示部５に表示させる制御を行うように構成されている（詳細は後述する）。
【００２７】
通信部４は、リモコン１と給湯装置の制御部（図示せず）との間で制御信号などの送受信を行う通信手段であって、この通信部４としては、たとえば、２芯の通信ケーブル７を介して給湯装置の制御部と通信する通信装置が用いられる。
【００２８】
表示部５は、給湯設定温度などの数値情報を表示するための表示手段であって、本実施形態では、この表示部５は、上記給湯設定温度として２桁の数字（数値情報）を表示可能な表示器８を備えている。
【００２９】
図２（ａ）は、この表示器８の概略構成の一例を示している。表示器８は、１桁の数字を７セグメントの発光部９，９…の点灯によって表示する表示器であって、本実施形態では、２桁の数字を表示可能とするにあたり、１２セグメントの発光部９，９…を備えた表示器８が用いられている。具体的には、この表示器８は、図２（ａ）に示すように、縦横２セグメントずつ発光部９を井桁状に配置して、発光部９が「田」の字状に配列されるように構成されいる。
【００３０】
すなわち、７セグメントの発光部を用いて２桁の数字を表示する場合、通常は各桁ごとに「日」の字状に発光部を配列させた７セグメントの表示器を１組用いるが、本実施形態では、１０の位（上位桁）の数字を表示する発光部の右側２セグメント（上位桁の右辺を構成する発光部）と、１の位（下位桁）の数字を表示する発光部の左側２セグメント（下位桁の左辺を構成する発光部）を共用するように表示器８を構成している。
【００３１】
このように、本実施形態に示すリモコン１では、表示器８が上位桁の右辺を構成する発光部９と下位桁の左辺を構成する発光部９を共有し、発光部９が「田」の字状に配置されていることから、数字を左右に９０°回転させて横向きに表示させたり、１８０°回転させて天地逆に表示させたりすることが可能となっている。
【００３２】
なお、各発光部９は、図２（ａ）に示すように，細長い略矩形状を呈するように構成されるが、これら各発光部９の下にはそれぞれ光源となるＬＥＤ（発光ダイオード）が配置されており、このＬＥＤの発光（点灯／消灯）が上記制御部３によって制御されるように構成されている。そして、このような発光部９を備えた表示器８は、リモコン１の筐体（図示せず）に収容される電装基板（図示せず）にはんだ付けによって固定的に取り付けられている。
【００３３】
表示方向設定部６は、表示部５の表示方向を設定する表示設定手段であって、リモコン１の取付方向（たとえば、図７（ａ）〜（ｄ）に示す４方向）に応じて表示器８に表示させる数字の向きを制御部３に指示するように構成されている。具体的には、たとえば、この表示方向設定部６としては、ディップスイッチなどの手動スイッチ（手動スイッチの操作によって表示部５の表示方向を手動で設定する構成）や、リモコン１の取付方向を検出するセンサ（センサで検出されたリモコン１の取付方向から制御部３が表示部５の表示方向を自動で設定する構成）などが採用される。
【００３４】
次に、このように構成されたリモコン１における表示部５の表示方法について説明する。
本実施形態に示すリモコン１では、表示器８に数字を表示させる場合、制御部３は、上記表示方向設定手段６の設定に応じて表示器８に表示させる数字の向きを設定する。すなわち、たとえば、リモコン１を左に９０°回転させた状態で壁面に取り付ける場合、制御部３は、上記表示方向設定手段６の設定などに応じて、表示器８に表示される数字を右に９０°回転させた状態、つまり、リモコン１を壁面に取り付けた状態で表示部５に表示される数字がユーザから見て正しい向き（表示される数字の天地が正常な向き）となるように表示器８における発光部９の点灯制御を行う。
【００３５】
そして、この表示器８への数字の表示にあたっては、本実施形態に示すリモコン１は、上述したように、給湯設定温度などの数値情報を表示する表示器８の発光部９が、１０の位の数字を表示する発光部９の右側の２セグメントと１の位の数字を表示する発光部９の左側の２セグメントとを共用するように構成しているので、このまま２桁の数字（たとえば、「４５」）を表示させると、図１（ｂ）に示すように、数字の一部が重なって判読困難になってしまうことから、制御部３は、図３に示すように、１０の位（上位桁）の数字および１の位（下位桁）の数字を交互に発光させて２桁の数字を表示するように構成されている。
【００３６】
たとえば、表示器８に「４５」を表示させる場合、制御部３は、はじめに表示器８の左側の７セグメントの発光部９を用いて１０の位の数字である「４」を表示させる。つまり、制御部３は、表示器８の左側の７セグメントにおいて数字の「４」に対応する発光部９を点灯させる（図３（ａ）参照）。
【００３７】
そして、１０の位の数字の表示を一定時間（たとえば、０.１秒〜１秒程度）継続させると、当該表示を解除して（数字の「４」を表示する発光部９を消灯させて）、右側の７セグメントの発光部９を用いて１の位の数字である「５」を表示させる。つまり、今度は表示器８の右側の７セグメントにおいて数字の「５」に対応する発光部９を点灯させる（図３（ｂ）参照）。なお、このときの１の位の数字の表示も上述した１０の位の数字の表示と同様に一定時間表示を行った後に解除する。
【００３８】
そして、制御部３は、このように１０の位の数字と１の位の数字をそれぞれ一定時間ずつ交互に繰り返し表示することで、表示器８を視認したユーザに数字の「４５」を認識させる。つまり、１０の位を左側に、１の位を右側に表示しながらこれらを交互に点灯させることにより、ユーザに２桁の数値情報を認識させる。なお、このとき１０の位の数字と１の位の数字を表示させる期間（繰返し周期）が短くなりすぎるとユーザには数字の「４」と「５」が同時に表示されているように見えてしまう（図２（ｂ）参照）ので、このようなことが起きないように、１０の位の数字と１の位の数字を表示する周期は数Ｈｚ以下程度に設定される。
【００３９】
なお、上述した実施形態では、１の位（または１０の位）の数字を表示するときには１０の位（または１の位）の数字を消灯させる構成を示したが、たとえば、図４に示すように、１の位（または１０の位）の数字を表示するときには１０の位（または１の位）の数字を明るさを押えた状態で点灯（中間点灯）させるように構成することもできる。このように、上位桁または下位桁の数字を表示するときに他方の桁の表示を中間点灯状態とすることで、発光部９の点滅に伴うちらつきを抑制することができる。
【００４０】
このように、本実施形態に示すリモコン１では、表示部５の表示器８が、複数桁の数字を表示させるにあたり、隣接する桁の上位桁の右辺を構成する発光部９と下位桁の左辺を構成する発光部９とを共有する構成を備えていることから、各桁ごとに７セグメント・ディスプレイを配置する場合に比して発光部９の数を少なくすることができ、経済性に優れた構成を提供することができる。
【００４１】
しかも、表示器８の発光部９が「田」の字状に配列されていることから、制御部３による制御によってこの表示器８に表示する数字を左右に９０°回転させたり、１８０°回転させたりすることができる。そのため、表示器８が実装された電装基板を交換することなく、リモコン１の取付方向に合わせて適正な向きで数値情報を表示器８に表示させることができる。
【００４２】
実施形態２
次に、本発明の第２の実施形態について図５に基づいて説明する。
本実施形態に示すリモコン１は、表示部５における表示器８の表示方法を改変したものであって、その他の構成は上述した実施形態１に示すリモコン１と同様である。したがって、構成が共通する部分には同一の符号を付して説明を省略する。
【００４３】
本実施形態に示すリモコン１では、制御部３は、表示器８において複数桁の数字を表示させるにあたり、上位桁から下位桁にかけての数字を発光部９の発光によってスクロール表示させるように構成している。
【００４４】
たとえば、表示器８に「４５」を表示させる場合、図５に示すように、制御部３は、「４５」の数字が時間を追って右側の７セグメントから左側の７セグメントにかけて流れるように表示されるように発光部９の点灯制御を行う。これにより、ユーザは表示器８のスクロール表示を視認することによって「４５」の数字を認識できるようになる。
【００４５】
なお、このスクロール表示にあたっては、図５では１の位の数字である「５」を表示した後に続けて１０の位の数字を表示さえる構成を示しているが、１０の位および１の位の数字を表示した後に、一定間隔のブランク（無表示）が介在するようにスクロール表示する構成としてもよい。
【００４６】
なお、上述した実施形態は本発明の好適な実施態様を示すものであって、本発明はこれらに限定されることなく発明の範囲内で種々の設計変更が可能である。
【００４７】
たとえば、上述した実施形態では、表示部５において数値情報を表示する表示器８の発光部９を１２セグメントで構成して「田」の字状に配列した場合を示したが、発光部９の数を縦横に増やして１２セグメント以上（たとえば、２４セグメント）で構成することも可能である。なお、このように表示器８を構成する発光部９の数を増やすことで、リモコン１の取付方向が変更された場合でも２桁以上の数字（２４セグメントの場合、３桁の数字）を取付方向に合わせて表示することができる。
【００４８】
また、上述した実施形態では、発明に係る表示装置を給湯装置のリモコンに適用した場合を示したが、本発明は複数桁の数値情報を表示する表示装置であれば、リモコン以外の機器の表示装置にももちろん適用可能である。たとえば、操作部が給湯装置の本体に据え付けられる本体操作型の給湯装置において、当該給湯装置の本体に設けられる表示装置（表示器）にも適用することができる。これにより、本体操作型の給湯装置においても電装基板を交換することなく、表示装置における表示方向の変更を伴うデザイン変更を容易に行うことができる。
【００４９】
また、上述した実施形態では、表示器８に数字を表示させた場合について説明したが、本発明は数字以外の文字（たとえば、Ａ，ｂ，ｃ，ｄ，Ｅ，Ｆ，Ｈなどの欧文字等）を複数桁で表示する場合にももちろん適用可能である。
【符号の説明】
【００５０】
１                リモコン
２                操作部
３                制御部（制御手段）
４                通信部
５                表示部
６                表示方向設定部（表示設定手段）
７                通信ケーブル
８                表示器
９                発光部
【図１】
2014048437.tif 000003
【図２】
2014048437.tif 000004
【図３】
2014048437.tif 000005
【図４】
2014048437.tif 000006
【図５】
2014048437.tif 000007
【図６】
2014048437.tif 000008
【図７】
2014048437.tif 000009